(57)【要約】      （修正有）【課題】あごに対する位置の調整が容易で取り外しが簡易なあご用マイクを提供する。【解決手段】上面２０、２つの側面２１及び底面２３で構成される、ＰＶＣ等のホルダー２を備え、上面の突出部２２に骨伝導マイク１１を埋め込んで接着固定し、上面、２つの側面及び底面で囲まれた貫通孔２５があご用ベルトを通すようになっており、あご用ベルトから取り外すための切り込みのスリット２４を底面に形成した。【選択図】図３
0003221500.tif 000002
【実用新案登録請求の範囲】
【請求項１】
あごに接するあご用マイクであって、
骨伝導マイク部と、
前記骨伝導マイク部が搭載される上面と、ベルトを通す貫通孔と、切り込みスリットが形成された底面とを有するホルダーとを備えることを特徴とするあご用マイク。
【請求項２】
スリットは、ベルトの長手方向に並行に形成されていることを特徴とする請求項１記載のあご用マイク。
【請求項３】
ホルダーは、柔軟性のある素材で形成されていることを特徴とする請求項１又は２記載のあご用マイク。
【請求項４】
ホルダーは、ポリ塩化ビニルで形成されていることを特徴とする請求項３記載のあご用マイク。
【請求項５】
ホルダーは、骨伝導マイク部からのコードが引き出される側の端辺の長さが、反対側の端辺の長さに比べて長く、テーパー形状となっていることを特徴とする請求項１乃至４のいずれか記載のあご用マイク。
【考案の詳細な説明】
【技術分野】
【０００１】
本考案は、あごに装着する骨伝導マイクに係り、特に、位置の調整が容易で着脱が簡易なあご用マイクに関する。
【背景技術】
【０００２】
［先行技術の説明］
従来の骨伝導マイクロホン（マイク）には、あごに装着するものがある。
【０００３】
［関連技術］
尚、関連する先行技術としては、実開昭６０−０８９２２９号公報「マイクロホン付ヘルメット」（特許文献１）、実開昭６１−１４０６９３号公報「骨伝導振動ピックアップ装置」（特許文献２）、特開昭６２−２８６３２７号公報「通信装置」（特許文献３）、特開平０２−０５６１２１号公報「耳掛式送受信装置」（特許文献４）がある。
【０００４】
特許文献１には、オートバイのヘルメットのあごひもに骨伝導マイクロホンを埋め込んだ構成が記載されている。
特許文献２には、顔面に接触する接触板に骨伝導マイクロホンが埋め込まれ、ヘルメットのあごひもに接触板が面ファスナーで固定されている構成が記載されている。
【０００５】
特許文献３には、ヘルメットのあごひもに面ファスナーで装着する骨伝導マイクロホンを備える構成が記載されている。
特許文献４には、骨伝導マイクロホンをイヤホン（耳）の近くに形成した構成が記載されている。
【先行技術文献】
【特許文献】
【０００６】
【特許文献１】実開昭６０−０８９２２９号公報
【特許文献２】実開昭６１−１４０６９３号公報
【特許文献３】特開昭６２−２８６３２７号公報
【特許文献４】特開平０２−０５６１２１号公報
【考案の概要】
【考案が解決しようとする課題】
【０００７】
しかしながら、従来のあごに装着する骨伝導マイクロホンでは、取り外しが困難で位置の調整が容易でないという問題点があった。
【０００８】
尚、特許文献１〜４には、あごひも（あご用ベルト）を通す貫通孔を備えてゴムホルダーに骨伝導マイクを装着し、ゴムホルダーの裏面にカットラインのスリットを形成してあご用ベルトから容易に取り外すことができる構成は記載されていない。
【０００９】
本考案は上記実状に鑑みて為されたもので、あごに対する位置の調整が容易で取り外しが簡易なあご用マイクを提供することを目的とする。
【課題を解決するための手段】
【００１０】
上記従来例の問題点を解決するための本考案は、あごに接するあご用マイクであって、骨伝導マイク部と、骨伝導マイク部が搭載される上面と、ベルトを通す貫通孔と、切り込みスリットが形成された底面とを有するホルダーとを備えることを特徴とする。
【００１１】
本考案は、上記あご用マイクにおいて、スリットが、ベルトの長手方向に並行に形成されていることを特徴とする。
【００１２】
本考案は、上記あご用マイクにおいて、ホルダーが、柔軟性のある素材で形成されていることを特徴とする。
【００１３】
本考案は、上記あご用マイクにおいて、ホルダーが、ポリ塩化ビニルで形成されていることを特徴とする。
【００１４】
本考案は、上記あご用マイクにおいて、ホルダーが、骨伝導マイク部からのコードが引き出される側の端辺の長さが、反対側の端辺の長さに比べて長く、テーパー形状となっていることを特徴とする。
【考案の効果】
【００１５】
本考案によれば、骨伝導マイク部と、骨伝導マイク部が搭載される上面と、ベルトを通す貫通孔と、切り込みスリットが形成された底面とを有するホルダーとを備えるあごに接するあご用マイクとしているので、取り外しが簡易であごの位置にマイクを容易に調整できる効果がある。
【図面の簡単な説明】
【００１６】
【図１】本あご用マイクの側面図である。
【図２】本あご用マイクの平面図である。
【図３】図２のＡ−Ａ’の断面図である。
【図４】図２のＢ−Ｂ’の断面図である。
【図５】本あご用マイクの底面図である。
【図６】本あご用マイクの使用例を示す概略図である。
【考案を実施するための形態】
【００１７】
本考案の実施の形態について図面を参照しながら説明する。
［実施の形態の概要］
本考案の実施の形態に係るあご用マイク（本あご用マイク）は、平板の骨伝導マイクロホン（マイク）をポリ塩化ビニル（ＰＶＣ）のホルダーに固定し、そのホルダーがあご用のベルトを通す貫通孔を備え、当該ホルダーの底面にベルトの長尺方向に切り込みのスリットを形成したものであり、取り外しが簡易であごの位置にマイクを容易に調整できるものである。
【００１８】
［本あご用マイク：図１〜５］
本あご用マイクについて図１〜５を参照しながら説明する。図１は、本あご用マイクの側面図であり、図２は、本あご用マイクの平面図であり、図３は、図２のＡ−Ａ’の断面図であり、図４は、図２のＢ−Ｂ’の断面図であり、図５は、本あご用マイクの底面図である。
本あご用マイクは、図１〜５に示すように、柔軟性のあるホルダー２の上面２０の上に、骨伝導マイク１１が搭載され、固定されている。
【００１９】
骨伝導マイク１１は、図２に示すように、円盤形状となっており、コード１３側に引き出される引出部１２に接続している。尚、形状は円盤に限らず多角形の平板であってもよい。尚、骨伝導マイク１１は、請求項で「骨伝導マイク部」と称している。
【００２０】
ホルダー２０は、ポリ塩化ビニル（ＰＶＣ：Poly Vinyl Chloride）、ゴム又はシリコン等の柔軟性のある素材で形成されており、図３、図４に示すように、上面２０、２つの側面２１、底面２３で構成され、上面２０に形成された突出部２２の中央がくり抜かれて骨伝導マイク１１が埋め込まれ、接着されている。
【００２１】
また、ホルダー２０は、図３，４に示すように、上面２０、２つの側面２１及び底面２３によって囲まれた内部が中空となっており、その中空部が、図１に示すように、あご用ベルト３１を通す貫通孔２５となっている。
貫通孔２５は、コード１３が引き出される方向と同じ方向に貫通している。
【００２２】
更に、図３，５に示すように、ホルダー２の底面２３の長辺に並行に切り込み（カットライン）のスリット２４が形成されている。
スリット２４は、ベルト３１の長尺方向に沿って形成され、スリット２４からベルト３１を挿入でき、また、ベルト３１を簡易に取り外すことができるものである。
【００２３】
また、ホルダー２の底面は、図５に示すように、コード１３が引き出されない側の幅（図の上辺の端辺の長さ）に比べてコード１３が引き出される側の幅（図の下辺の端辺の長さ）が若干広くなっている。つまり、テーパー形状となっている。これにより、幅の狭い方が幅の広い方より若干硬くなるので、あご用ベルト３１からホルダー２がずれるのを防止している。また、幅の広い方が幅の狭い方より若干柔らかくなるので、スリット２４をコード１３が引き出される側から開き易くしている。
【００２４】
［本あご用マイクの使用方法：図６］
次に、本あご用マイクの使用方法について図６を参照しながら説明する。図６は、本あご用マイクの使用例を示す概略図である。
図６に示すように、ホルダー２の貫通孔２５にヘルメットのあご用ベルト３１を通し、骨伝導マイク１１をあご底面に装着して使用するものである。
【００２５】
この場合、引出部１２は、あご用ベルト３１に沿って引き出され、コード１３もあご用ベルト３１に沿って引き出される。
【００２６】
［実施の形態の効果］
本あご用マイクによれば、ＰＶＣ等のホルダー２の上面２０の突出部２２に骨伝導マイク１１を固定し、上面２０、２つの側面２１及び底面２３で囲まれた貫通孔２５があご用ベルト３１を通すようになっており、底面２３に切り込みのスリット２４を形成したものとしているので、取り外しが簡易であごの位置にマイクを容易に調整できる効果がある。
【産業上の利用可能性】
【００２７】
本考案は、あごに対する位置の調整が容易で取り外しが簡易なあご用マイクに適している。
【符号の説明】
【００２８】
２…ホルダー、  １１…骨伝導マイク、  １２…引出部、  １３…コード、  ２０…上面、  ２１…側面、  ２２…突出部、  ２３…底面、  ２４…スリット、  ２５…貫通孔、  ３１…あご用ベルト
【図１】
0003221500.tif 000003
【図２】
0003221500.tif 000004
【図３】
0003221500.tif 000005
【図４】
0003221500.tif 000006
【図５】
0003221500.tif 000007
【図６】
0003221500.tif 000008